(57)【要約】【課題】照明装置全体の主光軸線方向から明るく光って見える部分を大きくする。【解決手段】光源1a,1b,1c,1d,1e,1fの主光軸線1a',1b',1c',1d',1e',1f'が、照明装置全体の主光軸線を中心に放射状に指向せしめられるように、光源1a,1b,1c,1d,1e,1fを環状に配列し、光源1a,1b,1c,1d,1e,1fから照射された光を照明装置全体の主光軸線方向に反射するためのリフレクタ2a,2b,2c,2d,2e,2fを光源1a,1b,1c,1d,1e,1fの外側に配置した照明装置において、リフレクタ2a,2b,2c,2d,2e,2fの外側に光源3a,3b,3c,3d,3e,3fを環状に配列し、光源3a,3b,3c,3d,3e,3fから照射された光を照明装置全体の主光軸線方向に反射するリフレクタ4a,4b,4c,4d,4e,4fを光源3a,3b,3c,3d,3e,3fの外側に配置した。【選択図】図１
2008047302.tif 000002
【特許請求の範囲】
【請求項１】
複数の光源の主光軸線が、照明装置全体の主光軸線を中心に放射状に指向せしめられるように、複数の光源を環状に配列し、前記複数の光源から照射された光を照明装置全体の主光軸線方向に反射するためのリフレクタを前記複数の光源の外側に配置した照明装置において、前記リフレクタの外側に更なる複数の光源を環状に配列し、前記更なる複数の光源から照射された光を照明装置全体の主光軸線方向に反射するための更なるリフレクタを前記更なる複数の光源の外側に配置したことを特徴とする照明装置。
【請求項２】
前記リフレクタの外周部分と前記更なる複数の光源とを照明装置の径方向に重複させて配列すると共に、前記更なる複数の光源を前記リフレクタの反射面の背面側に配置することを特徴とする請求項１に記載の照明装置。
【請求項３】
前記複数の光源と前記更なる複数の光源とを照明装置全体の主光軸線方向にオフセットさせて配置することを特徴とする請求項１又は２に記載の照明装置。
【請求項４】
前記複数の光源の数と同数の反射面を前記リフレクタに形成し、前記更なる複数の光源の数と同数の反射面を前記更なるリフレクタに形成したことを特徴とする請求項１〜３のいずれか一項に記載の照明装置。
【請求項５】
前記複数の光源の個数よりも前記更なる複数の光源の個数を多くしたことを特徴とする請求項１〜４のいずれか一項に記載の照明装置。
【発明の詳細な説明】
【技術分野】
【０００１】
本発明は、複数の光源の主光軸線が、照明装置全体の主光軸線を中心に放射状に指向せしめられるように、複数の光源が環状に配列され、複数の光源から照射された光を照明装置全体の主光軸線方向に反射するためのリフレクタが複数の光源の外側に配置された照明装置に関し、特には、照明装置全体の主光軸線方向から明るく光って見える部分を大きくすることができる照明装置に関する。
【背景技術】
【０００２】
従来から、複数の光源の主光軸線が、照明装置全体の主光軸線を中心に放射状に指向せしめられるように、複数の光源が環状に配列され、複数の光源から照射された光を照明装置全体の主光軸線方向に反射するためのリフレクタが複数の光源の外側に配置された照明装置（灯具）が知られている。この種の照明装置（灯具）の例としては、例えば特開２００５−２５１５３３号公報に記載されたものがある。
【０００３】
特開２００５−２５１５３３号公報に記載された照明装置（灯具）では、複数のＬＥＤがフラットケーブルに実装され、ＬＥＤが外側を向くようにフラットケーブルが環状に支持されている。更に、特開２００５−２５１５３３号公報に記載された照明装置（灯具）では、複数のＬＥＤの外側に環状のリフレクタが配置され、複数のＬＥＤから放射状に照射された光が、環状のリフレクタによって照明装置全体の主光軸線方向に反射されている。
【０００４】
ところで、特開２００５−２５１５３３号公報に記載された照明装置（灯具）では、環状に配列された複数のＬＥＤと、それらの外側に配置されたリフレクタとが、１組のみ設けられている。
【０００５】
そのため、特開２００５−２５１５３３号公報に記載された照明装置（灯具）では、照明装置全体の主光軸線方向から光って見える部分を大きくするためにリフレクタの反射面を大きくすると、リフレクタの反射面のうち、ＬＥＤから遠い部分が、照明装置全体の主光軸線方向から暗く見えてしまう。一方、リフレクタの反射面が照明装置全体の主光軸線方向から暗く見えてしまうのを回避するために、ＬＥＤから近い位置にのみ、リフレクタの反射面を配置し、ＬＥＤから遠い位置にはリフレクタの反射面を配置しないようにすると、照明装置全体の主光軸線方向から光って見える部分が小さくなってしまう。
【０００６】
【特許文献１】特開２００５−２５１５３３号公報
【発明の開示】
【発明が解決しようとする課題】
【０００７】
前記問題点に鑑み、本発明は、照明装置全体の主光軸線方向から光って見える部分を大きくしつつ、リフレクタの反射面のうち、光源から遠い部分が照明装置全体の主光軸線方向から暗く見えてしまうのを回避することができる照明装置を提供することを目的とする。
【０００８】
換言すれば、本発明は、照明装置全体の主光軸線方向から光って見える部分を大きくしつつ、リフレクタの反射面の全体が照明装置全体の主光軸線方向から明るく見えるようにすることができる照明装置を提供することを目的とする。
【０００９】
つまり、本発明は、照明装置全体の主光軸線方向から明るく光って見える部分を大きくすることができる照明装置を提供することを目的とする。
【課題を解決するための手段】
【００１０】
請求項１に記載の発明によれば、複数の光源の主光軸線が、照明装置全体の主光軸線を中心に放射状に指向せしめられるように、複数の光源を環状に配列し、前記複数の光源から照射された光を照明装置全体の主光軸線方向に反射するためのリフレクタを前記複数の光源の外側に配置した照明装置において、前記リフレクタの外側に更なる複数の光源を環状に配列し、前記更なる複数の光源から照射された光を照明装置全体の主光軸線方向に反射するための更なるリフレクタを前記更なる複数の光源の外側に配置したことを特徴とする照明装置が提供される。
【００１１】
請求項２に記載の発明によれば、前記リフレクタの外周部分と前記更なる複数の光源とを照明装置の径方向に重複させて配列すると共に、前記更なる複数の光源を前記リフレクタの反射面の背面側に配置することを特徴とする請求項１に記載の照明装置が提供される。
【００１２】
請求項３に記載の発明によれば、前記複数の光源と前記更なる複数の光源とを照明装置全体の主光軸線方向にオフセットさせて配置することを特徴とする請求項１又は２に記載の照明装置が提供される。
【００１３】
請求項４に記載の発明によれば、前記複数の光源の数と同数の反射面を前記リフレクタに形成し、前記更なる複数の光源の数と同数の反射面を前記更なるリフレクタに形成したことを特徴とする請求項１〜３のいずれか一項に記載の照明装置が提供される。
【００１４】
請求項５に記載の発明によれば、前記複数の光源の個数よりも前記更なる複数の光源の個数を多くしたことを特徴とする請求項１〜４のいずれか一項に記載の照明装置が提供される。
【発明の効果】
【００１５】
請求項１に記載の照明装置では、複数の光源から照射された光を照明装置全体の主光軸線方向に反射するためのリフレクタの外側に更なる複数の光源が環状に配列されている。更に、更なる複数の光源から照射された光を照明装置全体の主光軸線方向に反射するための更なるリフレクタが、更なる複数の光源の外側に配置されている。
【００１６】
詳細には、請求項１に記載の照明装置では、環状に配列された複数の光源の外側であって、それらの複数の光源から比較的近い位置にリフレクタが配置され、更に、そのリフレクタの外側に環状に配列された更なる複数の光源の外側であって、それらの更なる複数の光源から比較的近い位置に更なるリフレクタが配置されている。
【００１７】
そのため、請求項１に記載の照明装置では、環状に配列された複数の光源から照射された光によって、リフレクタの反射面の全体が、照明装置全体の主光軸線方向から明るく光って見える。更に、環状に配列された更なる複数の光源から照射された光によって、更なるリフレクタの反射面の全体が、照明装置全体の主光軸線方向から明るく光って見える。
【００１８】
その結果、請求項１に記載の照明装置によれば、特開２００５−２５１５３３号公報に記載された照明装置のように、環状に配列された複数の光源と、それらの外側に配置されたリフレクタとが１組しか設けられていない場合よりも、照明装置全体の主光軸線方向から光って見える部分を大きくしつつ、リフレクタの反射面のうち、光源から遠い部分が照明装置全体の主光軸線方向から暗く見えてしまうのを回避することができる。
【００１９】
換言すれば、請求項１に記載の照明装置によれば、特開２００５−２５１５３３号公報に記載された照明装置のように、環状に配列された複数の光源と、それらの外側に配置されたリフレクタとが１組しか設けられていない場合よりも、照明装置全体の主光軸線方向から光って見える部分を大きくしつつ、リフレクタの反射面の全体が照明装置全体の主光軸線方向から明るく見えるようにすることができる。
【００２０】
つまり、請求項１に記載の照明装置によれば、特開２００５−２５１５３３号公報に記載された照明装置のように、環状に配列された複数の光源と、それらの外側に配置されたリフレクタとが１組しか設けられていない場合よりも、照明装置全体の主光軸線方向から明るく光って見える部分を大きくすることができる。
【００２１】
請求項２に記載の照明装置では、リフレクタの外周部分と、そのリフレクタの外側に環状に配列された更なる複数の光源とが、照明装置の径方向に重複して配列されている。更に、更なる複数の光源が、リフレクタの反射面の背面側に配置されている。
【００２２】
換言すれば、請求項２に記載の照明装置では、更なる複数の光源が、照明装置全体の主光軸線方向から見えないように、リフレクタの外周部分によって覆い隠されている。
【００２３】
そのため、請求項２に記載の照明装置によれば、リフレクタの外周部分と更なる複数の光源とが照明装置の径方向に重複して配列されない場合よりも、リフレクタの外周部分と、更なるリフレクタの内周部分とを照明装置の径方向に近接させて配置することができる。
【００２４】
換言すれば、請求項２に記載の照明装置によれば、リフレクタの外周部分と更なる複数の光源とが照明装置の径方向に重複して配列されない場合よりも、照明装置全体の主光軸線方向から暗く見えてしまうリフレクタの外周部分と更なるリフレクタの内周部分との間の部分を小さくすることができる。
【００２５】
つまり、請求項２に記載の照明装置によれば、リフレクタの外周部分と更なる複数の光源とが照明装置の径方向に重複して配列されない場合よりも、照明装置全体の主光軸線方向から暗く見えてしまう部分を小さくすることができる。
【００２６】
複数の光源と更なる複数の光源とを照明装置全体の主光軸線方向の同一レベルに配置しつつ、それらの光源を１枚の基板に実装しようとすると、複数の光源を基板の一方の面に実装し、更なる複数の光源を基板の他方の面に実装する必要が生じてしまう。
【００２７】
この点に鑑み、請求項３に記載の照明装置では、複数の光源と更なる複数の光源とが照明装置全体の主光軸線方向にオフセットして配置されている。そのため、請求項３に記載の照明装置によれば、複数の光源と更なる複数の光源とを基板の同一の面に実装することができる。
【００２８】
特開２００５−２５１５３３に記載された照明装置のように、複数の光源から照射された光を反射するためのリフレクタに１個のみの反射面が形成されている場合には、その反射面に、照明装置全体の主光軸線方向から明るく見える部分と暗く見える部分とが生じてしまうおそれがある。
【００２９】
この点に鑑み、請求項４に記載の照明装置では、複数の光源の数と同数の反射面がリフレクタに形成され、更なる複数の光源の数と同数の反射面が更なるリフレクタに形成されている。
【００３０】
そのため、請求項４に記載の照明装置によれば、リフレクタの反射面あるいは更なるリフレクタの反射面に、照明装置全体の主光軸線方向から明るく見える部分と暗く見える部分とが生じてしまうおそれを低減することができる。
【００３１】
換言すれば、請求項４に記載の照明装置によれば、リフレクタの反射面および更なるリフレクタの反射面の全体が照明装置全体の主光軸線方向から均一に明るく見えるようにすることができる。
【００３２】
環状に配列された複数の光源の個数と、それらよりも外側に環状に配列された更なる複数の光源の個数とを等しくすると、複数の光源から照射された光を反射するためのリフレクタよりも、更なる光源から照射された光を反射するための更なるリフレクタが、照明装置全体の主光軸線方向から暗く見えてしまうおそれがある。
【００３３】
この点に鑑み、請求項５に記載の照明装置では、複数の光源の個数よりも更なる複数の光源の個数が多くされている。そのため、請求項５に記載の照明装置では、複数の光源から照射された光を反射するためのリフレクタと、更なる光源から照射された光を反射するための更なるリフレクタとが、照明装置全体の主光軸線方向から同程度の明るさに見えるようにすることができる。
【発明を実施するための最良の形態】
【００３４】
以下、本発明の照明装置の第１の実施形態について説明する。図１は第１の実施形態の照明装置の平面図、図２は第１の実施形態の照明装置の断面図、図３は第１の実施形態の照明装置の光路を示した図である。詳細には、図２（Ａ）は図１のＡ−Ａ線に沿った断面図、図２（Ｂ）は図１のＢ−Ｂ線に沿った断面図、図２（Ｃ）は図１のＣ−Ｃ線に沿った断面図である。図３（Ａ）は図２（Ａ）に示した断面における光路を示した図、図３（Ｂ）は図２（Ｂ）に示した断面における光路を示した図、図３（Ｃ）は図２（Ｃ）に示した断面における光路を示した図である。
【００３５】
図１〜図３において、Ｌ’は照明装置全体の主光軸線を示しており、１ａ，１ｂ，１ｃ，１ｄ，１ｅ，１ｆは例えばＬＥＤのような光源を示している。１ａ’は光源１ａの主光軸線を示しており、１ｂ’は光源１ｂの主光軸線を示しており、１ｃ’は光源１ｃの主光軸線を示しており、１ｄ’は光源１ｄの主光軸線を示しており、１ｅ’は光源１ｅの主光軸線を示しており、１ｆ’は光源１ｆの主光軸線を示している。
【００３６】
また、図１〜図３において、２ａは光源１ａから放射された光を照明装置全体の主光軸線Ｌ’の方向に反射するためのリフレクタを示しており、２ａ１はリフレクタ２ａに形成された反射面を示している。２ｂは光源１ｂから放射された光を照明装置全体の主光軸線Ｌ’の方向に反射するためのリフレクタを示しており、２ｂ１はリフレクタ２ｂに形成された反射面を示している。２ｃは光源１ｃから放射された光を照明装置全体の主光軸線Ｌ’の方向に反射するためのリフレクタを示しており、２ｃ１はリフレクタ２ｃに形成された反射面を示している。２ｄは光源１ｄから放射された光を照明装置全体の主光軸線Ｌ’の方向に反射するためのリフレクタを示しており、２ｄ１はリフレクタ２ｄに形成された反射面を示している。２ｅは光源１ｅから放射された光を照明装置全体の主光軸線Ｌ’の方向に反射するためのリフレクタを示しており、２ｅ１はリフレクタ２ｅに形成された反射面を示している。２ｆは光源１ｆから放射された光を照明装置全体の主光軸線Ｌ’の方向に反射するためのリフレクタを示しており、２ｆ１はリフレクタ２ｆに形成された反射面を示している。
【００３７】
更に、図１〜図３において、３ａ，３ｂ，３ｃ，３ｄ，３ｅ，３ｆは例えばＬＥＤのような光源を示している。３ａ’は光源３ａの主光軸線を示しており、３ｂ’は光源３ｂの主光軸線を示しており、３ｃ’は光源３ｃの主光軸線を示しており、３ｄ’は光源３ｄの主光軸線を示しており、３ｅ’は光源３ｅの主光軸線を示しており、３ｆ’は光源３ｆの主光軸線を示している。
【００３８】
また、図１〜図３において、４ａは光源３ａから放射された光を照明装置全体の主光軸線Ｌ’の方向に反射するためのリフレクタを示しており、４ａ１はリフレクタ４ａに形成された反射面を示している。４ｂは光源３ｂから放射された光を照明装置全体の主光軸線Ｌ’の方向に反射するためのリフレクタを示しており、４ｂ１はリフレクタ４ｂに形成された反射面を示している。４ｃは光源３ｃから放射された光を照明装置全体の主光軸線Ｌ’の方向に反射するためのリフレクタを示しており、４ｃ１はリフレクタ４ｃに形成された反射面を示している。４ｄは光源３ｄから放射された光を照明装置全体の主光軸線Ｌ’の方向に反射するためのリフレクタを示しており、４ｄ１はリフレクタ４ｄに形成された反射面を示している。４ｅは光源３ｅから放射された光を照明装置全体の主光軸線Ｌ’の方向に反射するためのリフレクタを示しており、４ｅ１はリフレクタ４ｅに形成された反射面を示している。４ｆは光源３ｆから放射された光を照明装置全体の主光軸線Ｌ’の方向に反射するためのリフレクタを示しており、４ｆ１はリフレクタ４ｆに形成された反射面を示している。
【００３９】
更に、図１〜図３において、５はブラケットを示しており、６は光源１ａ，１ｂ，１ｃ，１ｄ，１ｅ，１ｆ，３ａ，３ｂ，３ｃ，３ｄ，３ｅ，３ｆが実装された例えばフレキシブル基板のような基板を示している。
【００４０】
図４はリフレクタ２ａ，２ｂ，２ｃ，２ｄ，２ｅ，２ｆ，４ａ，４ｂ，４ｃ，４ｄ，４ｅ，４ｆが取り外された状態における第１の実施形態の照明装置の平面図、図５は基板６の展開図である。
【００４１】
第１の実施形態の照明装置では、図１および図２に示すように、光源１ａ，１ｂ，１ｃ，１ｄ，１ｅ，１ｆの主光軸線１ａ’，１ｂ’，１ｃ’，１ｄ’，１ｅ’，１ｆ’が、照明装置全体の主光軸線Ｌ’を中心に放射状に指向せしめられるように、光源１ａ，１ｂ，１ｃ，１ｄ，１ｅ，１ｆが環状に配列されている。また、図１および図３に示すように、光源１ａ，１ｂ，１ｃ，１ｄ，１ｅ，１ｆから照射された光を照明装置全体の主光軸線Ｌ’の方向（図３の上向き）に反射するためのリフレクタ２ａ，２ｂ，２ｃ，２ｄ，２ｅ，２ｆが、光源１ａ，１ｂ，１ｃ，１ｄ，１ｅ，１ｆの外側に配置されている。
【００４２】
更に、第１の実施形態の照明装置では、図１および図２に示すように、光源３ａ，３ｂ，３ｃ，３ｄ，３ｅ，３ｆの主光軸線３ａ’，３ｂ’，３ｃ’，３ｄ’，３ｅ’，３ｆ’が、照明装置全体の主光軸線Ｌ’を中心に放射状に指向せしめられるように、光源３ａ，３ｂ，３ｃ，３ｄ，３ｅ，３ｆが環状に配列されている。詳細には、光源３ａ，３ｂ，３ｃ，３ｄ，３ｅ，３ｆが、リフレクタ２ａ，２ｂ，２ｃ，２ｄ，２ｅ，２ｆの外側に環状に配列されている。また、図１および図３に示すように、光源３ａ，３ｂ，３ｃ，３ｄ，３ｅ，３ｆから照射された光を照明装置全体の主光軸線Ｌ’の方向（図３の上向き）に反射するためのリフレクタ４ａ，４ｂ，４ｃ，４ｄ，４ｅ，４ｆが、光源３ａ，３ｂ，３ｃ，３ｄ，３ｅ，３ｆの外側に配置されている。
【００４３】
詳細には、第１の実施形態の照明装置では、図１および図２に示すように、環状に配列された光源１ａ，１ｂ，１ｃ，１ｄ，１ｅ，１ｆの外側であって、光源１ａ，１ｂ，１ｃ，１ｄ，１ｅ，１ｆから比較的近い位置にリフレクタ２ａ，２ｂ，２ｃ，２ｄ，２ｅ，２ｆが配置され、更に、リフレクタ２ａ，２ｂ，２ｃ，２ｄ，２ｅ，２ｆの外側に環状に配列された光源３ａ，３ｂ，３ｃ，３ｄ，３ｅ，３ｆの外側であって、光源３ａ，３ｂ，３ｃ，３ｄ，３ｅ，３ｆから比較的近い位置にリフレクタ４ａ，４ｂ，４ｃ，４ｄ，４ｅ，４ｆが配置されている。
【００４４】
そのため、第１の実施形態の照明装置では、図１および図３に示すように、環状に配列された光源１ａ，１ｂ，１ｃ，１ｄ，１ｅ，１ｆから照射された光によって、リフレクタ２ａ，２ｂ，２ｃ，２ｄ，２ｅ，２ｆの反射面２ａ１，２ｂ１，２ｃ１，２ｄ１，２ｅ１，２ｆ１の全体が、照明装置全体の主光軸線Ｌ’の方向（図３の上側）から明るく光って見える。更に、環状に配列された光源３ａ，３ｂ，３ｃ，３ｄ，３ｅ，３ｆから照射された光によって、リフレクタ４ａ，４ｂ，４ｃ，４ｄ，４ｅ，４ｆの反射面４ａ１，４ｂ１，４ｃ１，４ｄ１，４ｅ１，４ｆ１の全体が、照明装置全体の主光軸線Ｌ’の方向（図３の上側）から明るく光って見える。
【００４５】
その結果、第１の実施形態の照明装置によれば、環状に配列された光源１ａ，１ｂ，１ｃ，１ｄ，１ｅ，１ｆと、それらの外側に配置されたリフレクタ２ａ，２ｂ，２ｃ，２ｄ，２ｅ，２ｆとが１組しか設けられていない場合よりも、照明装置全体の主光軸線Ｌ’の方向（図３の上側）から光って見える部分を大きくしつつ、リフレクタ２ａ，２ｂ，２ｃ，２ｄ，２ｅ，２ｆの反射面２ａ１，２ｂ１，２ｃ１，２ｄ１，２ｅ１，２ｆ１のうち、光源１ａ，１ｂ，１ｃ，１ｄ，１ｅ，１ｆから遠い部分が照明装置全体の主光軸線Ｌ’の方向（図３の上側）から暗く見えてしまうのを回避することができる。
【００４６】
換言すれば、第１の実施形態の照明装置によれば、環状に配列された光源１ａ，１ｂ，１ｃ，１ｄ，１ｅ，１ｆと、それらの外側に配置されたリフレクタ２ａ，２ｂ，２ｃ，２ｄ，２ｅ，２ｆとが１組しか設けられていない場合よりも、照明装置全体の主光軸線Ｌ’の方向（図３の上側）から光って見える部分を大きくしつつ、リフレクタ２ａ，２ｂ，２ｃ，２ｄ，２ｅ，２ｆ，４ａ，４ｂ，４ｃ，４ｄ，４ｅ，４ｆの反射面２ａ１，２ｂ１，２ｃ１，２ｄ１，２ｅ１，２ｆ１，４ａ１，４ｂ１，４ｃ１，４ｄ１，４ｅ１，４ｆ１の全体が照明装置全体の主光軸線Ｌ’の方向（図３の上側）から明るく見えるようにすることができる。
【００４７】
つまり、第１の実施形態の照明装置によれば、環状に配列された光源１ａ，１ｂ，１ｃ，１ｄ，１ｅ，１ｆと、それらの外側に配置されたリフレクタ２ａ，２ｂ，２ｃ，２ｄ，２ｅ，２ｆとが１組しか設けられていない場合よりも、照明装置全体の主光軸線Ｌ’の方向（図３の上側）から明るく光って見える部分を大きくすることができる。
【００４８】
更に、第１の実施形態の照明装置では、図１および図２に示すように、リフレクタ２ａ，２ｂ，２ｃ，２ｄ，２ｅ，２ｆの外周部分と、リフレクタ２ａ，２ｂ，２ｃ，２ｄ，２ｅ，２ｆの外側に環状に配列された光源３ａ，３ｂ，３ｃ，３ｄ，３ｅ，３ｆとが、照明装置の径方向（図２の左右方向）に重複して配列されている。更に、図２に示すように、光源３ａ，３ｂ，３ｃ，３ｄ，３ｅ，３ｆが、リフレクタ２ａ，２ｂ，２ｃ，２ｄ，２ｅ，２ｆの反射面２ａ１，２ｂ１，２ｃ１，２ｄ１，２ｅ１，２ｆ１の背面側（図２の下側）に配置されている。換言すれば、第１の実施形態の照明装置では、光源３ａ，３ｂ，３ｃ，３ｄ，３ｅ，３ｆが、照明装置全体の主光軸線Ｌ’の方向（図２の上側）から見えないように、リフレクタ２ａ，２ｂ，２ｃ，２ｄ，２ｅ，２ｆの外周部分によって覆い隠されている。
【００４９】
そのため、第１の実施形態の照明装置によれば、リフレクタ２ａ，２ｂ，２ｃ，２ｄ，２ｅ，２ｆの外周部分と光源３ａ，３ｂ，３ｃ，３ｄ，３ｅ，３ｆとが照明装置の径方向（図２の左右方向）に重複して配列されない場合よりも、リフレクタ２ａ，２ｂ，２ｃ，２ｄ，２ｅ，２ｆの外周部分と、リフレクタ４ａ，４ｂ，４ｃ，４ｄ，４ｅ，４ｆの内周部分とを照明装置の径方向（図２の左右方向）に近接させて配置することができる。
【００５０】
換言すれば、第１の実施形態の照明装置によれば、リフレクタ２ａ，２ｂ，２ｃ，２ｄ，２ｅ，２ｆの外周部分と光源３ａ，３ｂ，３ｃ，３ｄ，３ｅ，３ｆとが照明装置の径方向（図２の左右方向）に重複して配列されない場合よりも、照明装置全体の主光軸線Ｌ’の方向（図３の上側）から暗く見えてしまうリフレクタ２ａ，２ｂ，２ｃ，２ｄ，２ｅ，２ｆの外周部分とリフレクタ４ａ，４ｂ，４ｃ，４ｄ，４ｅ，４ｆの内周部分との間の部分を小さくすることができる。
【００５１】
つまり、第１の実施形態の照明装置によれば、リフレクタ２ａ，２ｂ，２ｃ，２ｄ，２ｅ，２ｆの外周部分と光源３ａ，３ｂ，３ｃ，３ｄ，３ｅ，３ｆとが照明装置の径方向（図２の左右方向）に重複して配列されない場合よりも、照明装置全体の主光軸線Ｌ’の方向（図３の上側）から暗く見えてしまう部分を小さくすることができる。
【００５２】
また、第１の実施形態の照明装置では、図２に示すように、光源１ａ，１ｂ，１ｃ，１ｄ，１ｅ，１ｆと光源３ａ，３ｂ，３ｃ，３ｄ，３ｅ，３ｆとが照明装置全体の主光軸線Ｌ’の方向（図２の上下方向）にオフセットして配置されている。そのため、第１の実施形態の照明装置によれば、図２、図４および図５に示すように、光源１ａ，１ｂ，１ｃ，１ｄ，１ｅ，１ｆと光源３ａ，３ｂ，３ｃ，３ｄ，３ｅ，３ｆとを基板６の同一の面に実装することができる。
【００５３】
更に、第１の実施形態の照明装置では、図１に示すように、光源１ａ，１ｂ，１ｃ，１ｄ，１ｅ，１ｆの数と同数の反射面２ａ１，２ｂ１，２ｃ１，２ｄ１，２ｅ１，２ｆ１がリフレクタ２ａ，２ｂ，２ｃ，２ｄ，２ｅ，２ｆに形成され、光源３ａ，３ｂ，３ｃ，３ｄ，３ｅ，３ｆの数と同数の反射面４ａ１，４ｂ１，４ｃ１，４ｄ１，４ｅ１，４ｆ１がリフレクタ４ａ，４ｂ，４ｃ，４ｄ，４ｅ，４ｆに形成されている。
【００５４】
そのため、第１の実施形態の照明装置によれば、６個の光源１ａ，１ｂ，１ｃ，１ｄ，１ｅ，１ｆから照射された光を反射するために１個のみの反射面が形成されるのに伴って、その反射面に、照明装置全体の主光軸線Ｌ’の方向から明るく見える部分と暗く見える部分とが生じてしまうおそれを低減することができる。また、６個の光源３ａ，３ｂ，３ｃ，３ｄ，３ｅ，３ｆから照射された光を反射するために１個のみの反射面が形成されるのに伴って、その反射面に、照明装置全体の主光軸線Ｌ’の方向から明るく見える部分と暗く見える部分とが生じてしまうおそれを低減することができる。
【００５５】
換言すれば、第１の実施形態の照明装置によれば、リフレクタ２ａ，２ｂ，２ｃ，２ｄ，２ｅ，２ｆの反射面２ａ１，２ｂ１，２ｃ１，２ｄ１，２ｅ１，２ｆ１およびリフレクタ４ａ，４ｂ，４ｃ，４ｄ，４ｅ，４ｆの反射面４ａ１，４ｂ１，４ｃ１，４ｄ１，４ｅ１，４ｆ１の全体が照明装置全体の主光軸線Ｌ’の方向（図３の上側）から均一に明るく見えるようにすることができる。
【００５６】
詳細には、第１の実施形態の照明装置では、光源１ａを通る線であって、照明装置全体の主光軸線Ｌ’と平行な線を中心に、光源１ａを焦点とする放物線を回転させることにより得られた回転放物面によってリフレクタ２ａの反射面２ａ１が構成されている。
【００５７】
つまり、第１の実施形態の照明装置では、リフレクタ２ａの反射面２ａ１が、照明装置全体の主光軸線Ｌ’を中心に放物線を回転させることにより得られた回転放物面によって構成されるのではなく、光源１ａを通る線を中心に放物線を回転させることにより得られた回転放物面によって構成されている。
【００５８】
換言すれば、第１の実施形態の照明装置では、リフレクタ２ａの反射面２ａ１からの反射光のすべてが、照明装置全体の主光軸線Ｌ’の方向（図３の上向き）に指向せしめられている。
【００５９】
そのため、第１の実施形態の照明装置によれば、リフレクタ２ａの反射面２ａ１の全面が照明装置全体の主光軸線Ｌ’の方向（図３の上側）から均一に明るく見えるようにすることができる。
【００６０】
同様に、第１の実施形態の照明装置では、光源１ｂを通る線であって、照明装置全体の主光軸線Ｌ’と平行な線を中心に、光源１ｂを焦点とする放物線を回転させることにより得られた回転放物面によってリフレクタ２ｂの反射面２ｂ１が構成されている。更に、光源１ｃを通る線であって、照明装置全体の主光軸線Ｌ’と平行な線を中心に、光源１ｃを焦点とする放物線を回転させることにより得られた回転放物面によってリフレクタ２ｃの反射面２ｃ１が構成されている。
【００６１】
また、第１の実施形態の照明装置では、光源１ｄを通る線であって、照明装置全体の主光軸線Ｌ’と平行な線を中心に、光源１ｄを焦点とする放物線を回転させることにより得られた回転放物面によってリフレクタ２ｄの反射面２ｄ１が構成されている。更に、光源１ｅを通る線であって、照明装置全体の主光軸線Ｌ’と平行な線を中心に、光源１ｅを焦点とする放物線を回転させることにより得られた回転放物面によってリフレクタ２ｅの反射面２ｅ１が構成されている。また、光源１ｆを通る線であって、照明装置全体の主光軸線Ｌ’と平行な線を中心に、光源１ｆを焦点とする放物線を回転させることにより得られた回転放物面によってリフレクタ２ｆの反射面２ｆ１が構成されている。
【００６２】
同様に、第１の実施形態の照明装置では、光源３ａを通る線であって、照明装置全体の主光軸線Ｌ’と平行な線を中心に、光源３ａを焦点とする放物線を回転させることにより得られた回転放物面によってリフレクタ４ａの反射面４ａ１が構成されている。また、光源３ｂを通る線であって、照明装置全体の主光軸線Ｌ’と平行な線を中心に、光源３ｂを焦点とする放物線を回転させることにより得られた回転放物面によってリフレクタ４ｂの反射面４ｂ１が構成されている。更に、光源３ｃを通る線であって、照明装置全体の主光軸線Ｌ’と平行な線を中心に、光源３ｃを焦点とする放物線を回転させることにより得られた回転放物面によってリフレクタ４ｃの反射面４ｃ１が構成されている。
【００６３】
また、第１の実施形態の照明装置では、光源３ｄを通る線であって、照明装置全体の主光軸線Ｌ’と平行な線を中心に、光源３ｄを焦点とする放物線を回転させることにより得られた回転放物面によってリフレクタ４ｄの反射面４ｄ１が構成されている。更に、光源３ｅを通る線であって、照明装置全体の主光軸線Ｌ’と平行な線を中心に、光源３ｅを焦点とする放物線を回転させることにより得られた回転放物面によってリフレクタ４ｅの反射面４ｅ１が構成されている。また、光源３ｆを通る線であって、照明装置全体の主光軸線Ｌ’と平行な線を中心に、光源３ｆを焦点とする放物線を回転させることにより得られた回転放物面によってリフレクタ４ｆの反射面４ｆ１が構成されている。
【００６４】
第２の実施形態の照明装置では、代わりに、回転放物面以外の任意の面によってリフレクタ２ａ，２ｂ，２ｃ，２ｄ，２ｅ，２ｆ，４ａ，４ｂ，４ｃ，４ｄ，４ｅ，４ｆの反射面２ａ１，２ｂ１，２ｃ１，２ｄ１，２ｅ１，２ｆ１，４ａ１，４ｂ１，４ｃ１，４ｄ１，４ｅ１，４ｆ１を構成することも可能である。
【００６５】
また、第１の実施形態の照明装置では、図１および図４に示すように、内側の光源１ａ，１ｂ，１ｃ，１ｄ，１ｅ，１ｆの数と、外側の光源３ａ，３ｂ，３ｃ，３ｄ，３ｅ，３ｆの数とが等しくされているが、第３の実施形態の照明装置では、代わりに、外側の光源の数を内側の光源の数より多くすることも可能である。
【００６６】
更に、第１の実施形態の照明装置では、例えば抵抗、ダイオードなどのような電気部品（図示せず）が基板６上に光源１ａ，１ｂ，１ｃ，１ｄ，１ｅ，１ｆ，３ａ，３ｂ，３ｃ，３ｄ，３ｅ，３ｆと共に実装されているが、第４の実施形態の照明装置では、代わりに、例えば抵抗、ダイオードなどのような電気部品を搭載するための基板を基板６とは別個に設けることも可能である。
【００６７】
また、第１の実施形態の照明装置では、光源１ａ，１ｂ，１ｃ，１ｄ，１ｅ，１ｆ，３ａ，３ｂ，３ｃ，３ｄ，３ｅ，３ｆとして同色のものが用いられているが、第５の実施形態の照明装置では、光源１ａ，１ｂ，１ｃ，１ｄ，１ｅ，１ｆの色と、光源３ａ，３ｂ，３ｃ，３ｄ，３ｅ，３ｆの色とを異ならせることも可能である。
【００６８】
以下、本発明の照明装置の第６の実施形態について説明する。第６の実施形態の照明装置は、後述する点を除き、上述した第１の実施形態の照明装置とほぼ同様に構成されている。従って、第６の実施形態の照明装置によれば、後述する点を除き、上述した第１の実施形態の照明装置とほぼ同様の効果を奏することができる。
【００６９】
図６は第６の実施形態の照明装置の断面図である。第１の実施形態の照明装置では、図２に示すように、例えばアルミニウム、銅などの金属製、あるいは、樹脂製のブラケット５に対して基板６が例えば接着剤によって固定されているが、第６の実施形態の照明装置では、図６に示すように、ブラケット５と基板６との間に、例えばアルミニウムのような剛性を有する板材７が配置されている。詳細には、第６の実施形態の照明装置では、ヒートシンクとしての機能を有する板材７が、基板６を隔てて光源１ａ，１ｂ，１ｃ，１ｄ，１ｅ，１ｆ，３ａ，３ｂ，３ｃ，３ｄ，３ｅ，３ｆの反対側にそれぞれ配置されている。
【００７０】
以下、本発明の照明装置の第７から第１０の実施形態について説明する。第７から第１０の実施形態の照明装置は、後述する点を除き、上述した第１の実施形態の照明装置とほぼ同様に構成されている。従って、第７から第１０の実施形態の照明装置によれば、後述する点を除き、上述した第１の実施形態の照明装置とほぼ同様の効果を奏することができる。
【００７１】
図７は第７の実施形態の照明装置の平面図、図８は第８の実施形態の照明装置の平面図、図９は第９の実施形態の照明装置の平面図、図１０は第１０の実施形態の照明装置の平面図である。第１の実施形態の照明装置では、図１に示すように、内側の光源１ａ，１ｂ，１ｃ，１ｄ，１ｅ，１ｆが６個設けられ、外側の光源３ａ，３ｂ，３ｃ，３ｄ，３ｅ，３ｆが６個設けられているが、第７の実施形態の照明装置では、図７に示すように、内側の光源１ａ，１ｂ，１ｃ，１ｄ，１ｅが５個設けられ、外側の光源３ａ，３ｂ，３ｃ，３ｄ，３ｅが５個設けられている。
【００７２】
また、第８の実施形態の照明装置では、図８に示すように、内側の光源１ａ，１ｂ，１ｃ，１ｄが４個設けられ、外側の光源３ａ，３ｂ，３ｃ，３ｄが４個設けられている。更に、第９の実施形態の照明装置では、図９に示すように、内側の光源１ａ，１ｂ，１ｃが３個設けられ、外側の光源３ａ，３ｂ，３ｃが３個設けられている。また、第１０の実施形態の照明装置では、図１０に示すように、内側の光源１ａ，１ｂが２個設けられ、外側の光源３ａ，３ｂが２個設けられている。
【００７３】
第１１の実施形態では、上述した第１から第１０の実施形態を適宜組み合わせることも可能である。
【産業上の利用可能性】
【００７４】
本発明の照明装置は、例えば車両用灯具、一般照明、遊技機器用照明などに適用可能である。
【図面の簡単な説明】
【００７５】
【図１】第１の実施形態の照明装置の平面図である。
【図２】第１の実施形態の照明装置の断面図である。
【図３】第１の実施形態の照明装置の光路を示した図である。
【図４】リフレクタ２ａ，２ｂ，２ｃ，２ｄ，２ｅ，２ｆ，４ａ，４ｂ，４ｃ，４ｄ，４ｅ，４ｆが取り外された状態における第１の実施形態の照明装置の平面図である。
【図５】基板６の展開図である。
【図６】第６の実施形態の照明装置の断面図である。
【図７】第７の実施形態の照明装置の平面図である。
【図８】第８の実施形態の照明装置の平面図である。
【図９】第９の実施形態の照明装置の平面図である。
【図１０】第１０の実施形態の照明装置の平面図である。
【符号の説明】
【００７６】
１ａ，１ｂ，１ｃ，１ｄ，１ｅ，１ｆ    光源
１ａ’，１ｂ’，１ｃ’                主光軸線
１ｄ’，１ｅ’，１ｆ’                主光軸線
２ａ，２ｂ，２ｃ，２ｄ，２ｅ，２ｆ    リフレクタ
２ａ１，２ｂ１，２ｃ１                反射面
２ｄ１，２ｅ１，２ｆ１                反射面
３ａ，３ｂ，３ｃ，３ｄ，３ｅ，３ｆ    光源
３ａ’，３ｂ’，３ｃ’                主光軸線
３ｄ’，３ｅ’，３ｆ’                主光軸線
４ａ，４ｂ，４ｃ，４ｄ，４ｅ，４ｆ    リフレクタ
４ａ１，４ｂ１，４ｃ１                反射面
４ｄ１，４ｅ１，４ｆ１                反射面
５                                    ブラケット
６                                    基板
【図１】
2008047302.tif 000003
【図２】
2008047302.tif 000004
【図３】
2008047302.tif 000005
【図４】
2008047302.tif 000006
【図５】
2008047302.tif 000007
【図６】
2008047302.tif 000008
【図７】
2008047302.tif 000009
【図８】
2008047302.tif 000010
【図９】
2008047302.tif 000011
【図１０】
2008047302.tif 000012